【事件の表示】
　特許第２９８６４９７号「対物レンズ駆動装置」の請求項１乃至３に係る特許に対する特許異議の申立てについて、次のとおり決定する。
【結　論】
　訂正を認める。
　特許第２９８６４９７号の請求項１乃至３に係る特許を取り消す。
【理　由】
１．手続の経緯
　特許２９８６４９７号の請求項１乃至３に係る発明は平成２年１月１７日特許出願され、平成１１年１０月１日にその特許の設定登録がなされ、その後、信越化学工業株式会社及び中村吉孝より特許異議の申立てがなされ、取消理由通知がなされ、その指定期間内である平成１２年１０月２３日に訂正請求がなされたものである。
　
２．訂正の適否についての判断
（１）訂正の要旨
(イ)訂正事項1　　　　　　　　
　平成10年7月28日付提出の手続補正書で補正した明細書の特許請求の範囲の記載を　
「(1)　周辺に電気接点を有する電気部品が配置された対物レンズ駆動装置であって、対物レンズと、この対物レンズを固着したレンズホルダーと、前記レンズホルダーを支持する固定部材と、前記レンズホルダーと前記固定部材にそれぞれ固定された連結部材とを備え、
　前記連結部材と前記レンズホルダーの間又は前記連結部材と前記固定部材との間の少なくとも1箇所以上に、シリコーンを主成分とする液状原材料から低分子シロキサンを蒸発除去させて当該低分子シロキサンＤ3〜Ｄ10の各々の成分の濃度を１００ppm以下にしたシリコーンを主成分とするゲル状ダンピング材を充填保持するように構成したことを特徴とする対物レンズ駆動装置。
(2)　周辺に電気接点を有する電気部品が配置された対物レンズ駆動装置であって、対物レンズと、この対物レンズを固着したレンズホルダーと、前記レンズホルダーを支持する固定部材と、前記レンズホルダーに設けたピンと、前記固定部材に形成したダンパーケースとを備え、
前記ダンパーケースにおいて、前記ピンと当該ダンパーケースとの間に、シリコーンを主成分とする液状原材料から低分子シロキサンを蒸発除去させて当該低分子シロキサンＤ3〜Ｄ10の各々の成分の濃度を１００ppm以下にしたシリコーンを主成分とするゲル状ダンピング材を充填保持するように構成したことを特徴とする対物レンズ駆動装置。
(3)　前記レンズホルダーと前記固定部材にそれぞれ固定された連結部材を備え、前記レンズホルダーを、固定部材に対して連結部材により保持すると共に、ダンパーケースにおいてゲル状ダンピング材によりピンを介してダンピング保持するように構成したことを特徴とする特許請求の範囲第２項記載の対物レンズ駆動装置。」と訂正する。
　
(口)訂正事項2
　明細書の第2頁第14行目(特許公報第2頁第3欄第19行目)に記載の「マグネッド」を「マグネット」と訂正する。
(ハ)訂正事項3
　明細書の第5頁第11行目(特許公報第2頁第4欄第19行目)に記載の「回転さpる」を「回転させる」と訂正する。
(二)訂正事項4
　明細書の第6頁第19行目(特許公報第2頁第4欄第42行目)に記載の「しないが(50時間」を「しないが、(50時間」と訂正する。
(ホ)訂正事項5
　明細書の第7頁第5行目(特許公報第2頁第4欄第47行目)に記載の「もので簡単な構成」を「もので、上記実験結果に基づいて、簡単な構成」と訂正する。
(へ)訂正事項6
　明細書の第7頁第10行目〜第15行目(特許公報第2頁第4欄第50行目〜第3頁第5欄第11行目)を「上記課題を解決するために本発明の対物レンズ駆動装置は、周辺に電気接点を有する電気部品が配置された対物レンズ駆動装置であって、対物レンズとこの対物レンズを固着したレンズホルダーと、前記レンズホルダーを支持する固定部材と、前記レンズホルダーと前記固定部材にそれぞれ固定された連結部材とを備え、前記連結部材と前記レンズホルダーの間又は前記連結部材と前記固定部材との間の少なくとも1箇所以上に、シリコーンを主成分とする液状原材料から低分子シロキサンを蒸発除去させて当該低分子シロキサンＤ3〜Ｄ10の各々の成分の濃度を１００ppm以下にしたシリコーンを主成分とするゲル状ダンピング材を充填保持するように構成したものである。」と訂正する。
(ト)訂正事項7
　明細書の第7頁第17行目〜第19行目(特許公報第3頁第5欄第13行目〜同第14行目)を「　本発明は、上記した構成のように、シリコーンを主成分とする液状原材料から低分子シロキサンを蒸発除去させて当該低分子シロキサンＤ3〜Ｄ10の各々の成分の濃度を１００ppm以下にしたシリコーンを主成分とするゲル状ダンピング材を、レンズホルダーと固定側部材の間、連結部材」と訂正する。
(チ)訂正事項8
　明細書の第9頁第1行目(特許公報第3頁第5欄第32行目〜同第33行目)に記載の「なる。低分子シロキサン」を「なる。上述した実験結果に基づいて低分子シロキサン」と訂正する。
(リ)訂正事項9
　明細書の第9頁第14行目〜第15行目(特許公報第3頁第5欄第44行目〜同第45行目)に記載の「次に低分子カット」を「次に、充填保持される低分子カット」と訂正する。
(ヌ)訂正事項10
　明細書の第9頁第15行目(特許公報第3頁第5欄第45行目)に記載の「ゲル材35は、一液性」を「ゲル材35は、上述した実験結果に基づき、ここでは、一液性」と訂正する。
(ル)訂正事項11
　明細書の第10頁第18行目(特許公報第3頁第6欄第14行目)に記載の「ばらつきから開放され」を「ばらつきから解放され」と訂正する。
(ヲ)訂正事項12
　明細書の第15頁第6行目(特許公報第4頁第7欄第40行目)に記載の「できる。コスト面では、」を「できる。この「接点不良をなくす」ということに着目すれば、充境保持される低分子カットシリコーンゲル材35は、以上の実施例と上述の実験結果より、シリコーンを主成分とする液状原材料から低分子シロキサンを蒸発除去させて当該低分子シロキサンＤ3〜Ｄ10の各々の成分の濃度を１００ppm以下にしたシリコーンを主成分とするものを用いることにより達成することができ、「接点不良による回転の不具合に基づくモータ回転せずを防止」できる。また、コスト面では、」と訂正する。
(ワ)訂正事項13
　明細書の第15頁第17行目〜第16頁第4行目(特許公報第4頁第8欄第7行目〜同第20行目)に記載の「本発明は、〜ことができる。」を「本発明は、周辺に電気接点を有する電気部品が存在するように構成された対物レンズ駆動装置であって、対物レンズと、この対物レンズを固着したレンズホルダーと、前記レンズホルダーを支持するベースよりなる固定部材と、前記レンズホルダーと前記固定部材にそれぞれ固定された連結部材とを備え、前記連結部材と前記レンズホルダーの間又は前記連結部材と前記固定部材との間の少なくとも1箇所以上に、シリコーンを主成分とする液状原材料から低分子シロキサンを蒸発除去させて当該低分子シロキサンＤ3〜Ｄ10の各々の成分の濃度を１００ppm以下にしたシリコーンを主成分とするゲル状ダンピング材を充填保持するように構成したものであり、ゲル状ダンピング材を液状原材料からゲル状にしたものであるため、成型等が必要でなく簡単な構成で十分なダンピングを行うことができ、低分子シロキサンＤ3〜Ｄ10の各々の成分の濃度を１００ppm以下にしたため、シリコーン成分のガス化による電気接点の接点不良をなくすことができる。」と訂正する。
　
（２）訂正の目的の適否、新規事項の有無及び拡張・変更の存否
(イ)訂正事項1について
　訂正事項1については、特許明細書の特許請求の範囲の請求項1および請求項2において、「シリコーンを主成分とする液状原材料から低分子シロキサンを蒸発除去させて」および「低分子シロキサン Ｄ３〜Ｄ１０の各々の成分の濃度を１００ppm以下にしたシリコーンを主成分とするゲル状ダンピング材」を限定しようとするものである。
　当該「シリコーンを主成分とする液状原材料から低分子シロキサンを蒸発除去」は、願書に最初に添付した明細書第9頁第16行目〜同18行目の「シリコーンを主成分とする液状原材料を熱硬化もしくはUV硬化させゲル状にしたものである」に記載されているものである。
　また、「低分子シロキサンＤ3〜Ｄ10の各々の成分の濃度を１００ppm以下にしたシリコーンを主成分とするゲル状ダンピング材」は、(a)願書に最初に添付した明細書の第5頁第6行目〜第9行目(特許公報第2頁第4欄第15行目〜同第16行目)の「通常の液体状シリコーンにおいてＤ3〜Ｄ10の低分子シロキサンの濃度は１００〜６００ppm程度であり」、(b)同第6頁第11行目〜同第13行目(特許公報第2頁第4欄第35行目〜同第37行目)の「低分子シロキサンＤ3〜Ｄ10の濃度について２００ppmを越える成分がある場合」、(c)同第6頁第17行目〜同19行目(特許公報第2頁第4欄第40行目〜同第42行目)の「低分子シロキサンＤ3〜Ｄ10の濃度が１００ppm前後の成分である場合、接点不良は発生しない」、(d)同第9頁第19行目〜同20行目(特許公報第3頁第5欄第48行目〜同第49行目)の「低分子シロキサンを蒸発させＤ3〜Ｄ10の濃度を各々５０ppm以下にしたもの」に記載されている内容から次のようにいえる。
　(a)については成分「Ｄ3〜Ｄ10」において各々の成分濃度が「１００〜６００ppm程度の範囲」の成分である(通常、D3からD10のうち高い番号の成分に従って濃度は高い)場合であり、(b)については成分「Ｄ3〜Ｄ10」のうちほとんどが２００ppm未満であっても「２００ppm」を越える成分がある場合であり、(c)については各々の成分「Ｄ3〜Ｄ10」において濃度が「１００ppm前後」の成分でそれ以上の濃度のものがない場合であり、(d)については成分「Ｄ3〜Ｄ10」において濃度が「５０ppm」以下にしたものを明らかにしていると言える。また、(c)については、(a)及び(b)の記載内容から、成分「Ｄ3〜Ｄ10」において、各々の濃度が、「１００〜６００ppm程度の範囲」でも「２００ppm」を越える成分もなく、「１００ppm前後」の成分の場合であり、その成分の状態の場合に接点不良は発生しないことを明らかにしている。
　ここで、(c)の記載内容と、(d)に記載された内容から言えることは、「１００ppm前後」および「５０ppm」以下の濃度では、少なくとも接点不良が発生しないことは明示されており、その場合の濃度は、成分「Ｄ3〜Ｄ10」
における各々の成分(D3,D4,・・・,D9,D10）の濃度においていえることは明白であるということである。なぜなら、「５０ppm」以下の濃度では「各々の成分「Ｄ3〜Ｄ10」において」を明記しており、「１００ppm前後」の濃度の場合は「２００ppm」を越える成分がないのであるからである。仮に、ここで、「１００ppm前後」について成分「Ｄ3〜Ｄ10」のトータルの濃度とすれば、単純計算で「１００ppm」を8等分すると、「１２．５ppm」となり、(d)に記載された内容の「５０ppm」以下の濃度となってしまい、矛盾することとなる。さらに、これがより問題である「２００ppm」であったとしても、トータルの濃度とすれば、同様に8等分すると、「２５．０ppm」となり、(d)に記載された内容の「５０ppm」以下の濃度となってしまい、やはり矛盾することになる。
　以上の事項から、本発明の構成要素とした「低分子シロキサンＤ3〜Ｄ10の各々の成分の濃度を１００ppm以下にしたシリコーンを主成分とするゲル状ダンピング材」は、発明者等の実験結果により導き出された上記(c)の内容と、実施例に記載された(d)に記載された内容から、願書に最初に添付した明細書に記載されていたものと認める。
　
(口)訂正事項5について
　訂正事項5については、「本発明の目的」を明確化したものであり、その「発明が解決しようとする課題」に記載された「解析の実験結果」の内容に基づいてなされたことを明らかにしたものである。
　(ハ)訂正事項6について
　訂正事項6については、「課題を解決するための手段」において「シリコーンを主成分とする液状原材料から低分子シロキサンを蒸発除去させて当該低分子シロキサンＤ3〜Ｄ10の各々の成分の濃度を１００ppm以下にしたシリコーンを主成分とするゲル状ダンピング材を充填保持する」ことを明確化したものであり、当該構成は、前述した訂正事項1に記載した内容と同様のものであり、願書に最初に添付した明細書から明らかである。
　すなわち、この訂正は、「課題を解決するための手段」における「ゲル状ダンピング材」の材料について明瞭にしたものである。
　
(二)訂正事項7について
　上記訂正事項7については、「ゲル状ダンピング材」について「シリコーンを主成分とする液状原材料から低分子シロキサンを蒸発除去させて当該低分子シロキサンＤ3〜Ｄ10の各々の成分の濃度を１００ppm以下にしたシリコーンを主成分とする」ものであることを明確化したものであり、当該構成は、前述した訂正事項1に記載した内容と同様のものであり、願書に最初に添付の明細書から明らかである。
　すなわち、この訂正は、「作用」における「ゲル状ダンピング材」の材料について明瞭にしたものである。
　
(ホ)訂正事項8について
　訂正事項8については、「実施例」が「発明が解決しようとする課題」において記載した「本メカニズム解析の実験結果」に基づいていることを明確化したものであり、当該構成は、願書に最初に添付した明細書における「発明が解決しようとする課題」の実験結果が、従来技術に対して「低分子シロキサンＤ3〜Ｄ10の濃度が１００ppm前後の成分である場合、接点不良は発生しない」効果が得られることから、当該実験結果は、本発明の一実施例ということができることは明らかである。
　すなわち、この訂正は、「ゲル状ダンピング材35」の実施例について明瞭にしたものである。
　
(へ)訂正事項9について
　訂正事項9については、詳細例の説明を行う「低分子カットシリコーンゲル材」を明確化したものであり、当該構成は願書に最初に添付した明細書の第9頁第1行目〜第5行目の記載「低分子シロキサン濃度を極小に除去したシリコーンを主成分とするゲル状ダンピング材35(以下低分子カットシリコーンゲル材と記す)がベース34の一部に形成された容器状構造物に充填保持され」から明らかである。
　すなわち、この訂正は、「低分子カットシリコーンゲル材」を明瞭にしたものである。
　
(ト)訂正事項10について
　訂正事項10については、「低分子カットシリコーンゲル材35」の具体的な例を記載するにあたり、その内容が、「発明が解決しようとする課題」において記載した「本メカニズム解析の実験結果」に基づいていることを明確化したものであり、当該構成は、上記訂正事項8と同様、願書に最初に添付した明細書における「発明が解決しようとする課題」の実験結果が、従来技術に対して「低分子シロキサンＤ3〜Ｄ10の濃度が１００ppm前後の成分である場合、接点不良は発生しない」効果が得られることから、当該実験結果は、本発明の一実施例ということができることは明らかである。
　すなわち、この訂正は、「低分子カットシリコーンゲル材35」の構成を明瞭にしたものである。
　
(チ)訂正事項12について
　訂正事項12については、「実施例による効果」において「充填保持される低分子カットシリコーンゲル材35として、シリコーンを主成分とする液状原材料から低分子シロキサンを蒸発除去させて当該低分子シロキサンD3〜D10の各々の成分の濃度を１００ppm以下にしたシリコーンを主成分とする　ものを用いることにより達成することができ、「接点不良による回転の不具合に基づくモータ回転せずを防止」できる。」により「シリコーン成分のガス化による電気接点の接点不良をなくすことができる」ことを明確化したものであり、当該構成は、前述した訂正事項1に記載した内容と同様のものであり、願書に最初に添付した明細書から明らかである。
　すなわち、この訂正は、「実施例による効果」において「シリコーン成分のガス化による電気接点の接点不良をなくすことができる」ことを明瞭にしたものである。
　
(リ)訂正事項13について
　訂正事項13については、「特許請求の範囲」に基づく「発明の効果」を明確化したものであり、当該「シリコーンを主成分とする液状原材料から低分子シロキサンを蒸発除去させて当該低分子シロキサンＤ3〜Ｄ10の各々の成分の濃度を１００ppm以下にしたシリコーンを主成分とするゲル状ダンピング材」及び「低分子シロキサンＤ3〜Ｄ10の各々の成分の濃度を１００ppm以下にしたため、」は、前述した訂正事項1に記載した内容と同様のものであり、願書に最初に添付した明細書から明らかである。
　また、「成型等が必要でなく簡単な構成」は、願書に最初に添付した明細書の第10頁第15行目〜第17行目(特許公報第3頁第6欄第11行目〜第13行目)の「ゴムチユーブあるいは樹脂ヒンジのように成型品でないので低コストであり、」及び第15頁第6行目~第8行目(特許公報第4頁第7欄第40行目~第42行目)の「チューブあるいは樹脂ヒンジ等の成型品のダンピング材を廃止することができコストダウンが図れる。」に基づくものである。
　すなわち、この訂正は、「発明の効果」を明瞭にしたものである。
　
(ヌ)訂正事項のうちのその他について
　その他の訂正事項2,3,4及び11については、誤記を訂正をするものであり、当該訂正の内容は、願書に最初に添付した明細書に記載の内容及び前後の文脈から明らかである。
　
（３）むすび
　以上のとおりであるから、（イ）の訂正は、特許法第120条の4第2項但し書第1号に規定する「特許請求の範囲の減縮」を目的とするものに該当し、また、（ロ）乃至（リ）の訂正は特許法第120条の4第2項但し書第3号に規定する「明りようでない記載の釈明」を目的とするものに該当し、さらに、（ヌ）の訂正は特許法第120条の4第2項但し書第2号に規定する「誤記又は誤訳の訂正」を目的とするものに該当する。
　しかも、上記訂正は、いずれも願書に最初に添付した明細書又は図面に記載した事項の範囲内の訂正であり、また、特許請求の範囲を拡張し又は変更するものでもないから、特許法第120条の4第3項で準用する第126条第2項及び第3項に適合するものであるので、当該訂正を認める。
　
３．特許異議申立てについて
（１）本件発明
     本件発明は、上記２．（１）（イ）訂正事項１において訂正した特許明細書の特許請求の範囲の請求項１乃至３に記載のとおりのものである。(以下、「本件発明１乃至３」という。）
　
（２）特許法第29条違反について
Ａ．引用刊行物に記載の発明
　当審が通知した取消理由において引用した刊行物の内、以下の刊行物(以下、引用刊行物1乃至５という。）には、以下の発明が記載されている。
引用刊行物１：特開昭６２−２０２３４０号公報
　引用刊行物１には、以下の事項が記載されている。
ａ．「情報記録媒体上に光を集光させる対物レンズと、この対物レンズを保持する保持体と
この保持体に嵌挿して支持する互いに平行な複数本のワイヤーと、
前記保持体の外側に設けられて前記対物レンズをフォーカス方向に駆動させるフォーカス方向駆動コイルおよびトラック方向に駆動させるトラック方向駆動コイルと、
これらの駆動コイルに対向して配置される磁気回路と、
前記駆動コイルの運動エネルギーにもとづく前記ワイヤーの摂動を減衰させるため、ワイヤーの一部に振動減衰部材を収容する収容手段とを具備したことを特徴とする対物レンズの駆動装置。」(特許請求の範囲第１項）
　
ｂ．「（４１）は４本のワイヤー（４０）の一端部をそれぞれ固定するため、ゲル状のシリコンゴム（ｓ）が収容される収容部（４２）及び挿入孔（４３）を有するブロック、（３０）は上記ワイヤー（４０）の他端を対物レンズ（１）の保持体（２）に穿設された孔(図示しない）に挿入して固定するための可動部である。」(公報４頁左上欄７行〜１２行）
　
ｃ．「振動減衰部材はゲル状シリコンゴムを用いたことを特徴とする特許請求の範囲第2項記載の対物レンズの駆動装置。」(特許請求の範囲第３項）
　
  これらの記載及び図面によれば、刊行物１には対物レンズを含む可動部に与えられる運動エネルギーを適切な早さで減衰させることが可能な対物レンズ駆動装置であって、
「情報記録媒体上に光を集光させる対物レンズと、この対物レンズを保持する保持体と
この保持体に嵌挿して支持する互いに平行な複数本のワイヤーと、前記ワイヤーの他端を固定するため、ゲル状シリコンゴムの収容部及び挿入孔を有するブロックとを備え、
　前記ワイヤーとブロック間である前記収容部にゲル状シリコンゴムを注入保持することを特徴とする対物レンズ駆動装置。」の発明が記載されているものと認められる。
　
引用刊行物２：特開昭６４−３６６２７号公報  
  引用刊行物２には、以下の事項が記載されている。
ａ．「リレーやスィッチの金属接点の接触障害は大部分が接触不良であり、その主因は、塵埃と有害ガス(腐食性ガス、有機ガス）によるものに分けられる。有害ガスは、・・・と、主に機器の構成材料である成形材料、シリコーン化合物、接着剤などから発生する有機ガスとに分けられる。特にシリコーンゴム製品から発生されるガスが金属接点に著しい悪影響を及ぼすことは、既に数多くの技術文献により報告されている。・・・シリコーンガスの発生源は、シリコーンゴム製品中に残留する環状ジメチルポリシロキサンと低分子量ジメチルポリシロキサンであることは、前記の文献によりすでに解明されている。このようなジメチルポリシロキサンは、通常加硫(成型)後、２次加硫工程が例えば熱風循環式乾燥機による処理法では、２００°Ｃ、４〜24時間以上処理している。また、真空乾燥器による処理法では２２０°Ｃ１〜4時間かけて、ジメチルポリシロキサンの低減化を図っている。」(公報2頁左下欄13行〜右下欄18行）
ｂ．「シリコーンゴム製品に残留するジメチルポリシロキサンは以下の処理工程で超微少レベル迄減少される。・・・これによりシリコーンゴム製品に残留するジメチルポリシロキサンの内で、沸点の低い部分の大部分が除去されて、ジメチルポリシロキサンの総量の約８０％〜９０％が除去される。」(公報3頁右上欄15行〜左下欄6行）
　
引用刊行物３：特開昭６１−１０３９３１号公報
　引用刊行物３には、
「シリコーンゴム成形体には若干量の低分子シロキサンが残存しており、この４量体から6量体のものは沸点が１７１°Ｃ〜２３７°Ｃと比較的低いものがあることからこの成型品を長時間使用していると、この低分子シロキサンがその表面から揮発して系外に出てきて付近に存在する他の物質に付着するということがあり、この成形体の近くに比較的大きな電流の流れる接点あるいは直流モータのブラシなどがあると、この低分子シロキサンがそこに付着し、これが電流などで燃焼して絶縁性のシリカとなり、結果において接点障害を起こすという不利が生じる。したがって、シリコーンゴム成形品については、成形後に後加熱してこの中に含有されている低分子シロキサンを除去するという方法も採られている」(公報1頁右欄7行〜２頁左上欄２行）と記載されている。
　
引用刊行物４：「エレクトロニクス」昭和５８（１９８３）年１１月号　コンタクトロジー（機構部品における接触技術）１１５３頁〜１１６０頁  株式会社オーム社　昭和５８年１１月１日発行
  引用刊行物４には、「シリコン系ゴム、オイルなどからも未反応で残留しているジメチル・ポリシロキサンが蒸発して、接触面に吸着することが多々ある。この場合、熱が作用すると、ＳｉＯ2に分解する．ＳｉＯ２は最高の絶縁物である。間違いなく接触不良を引き起こす。」(第1156頁中央欄10〜17行）と記載がされている。
　
引用刊行物５：特開昭５５−１４２４２５号公報
　引用刊行物５には、液体ダンパーにより振動を減衰する対物レンズ駆動装置に関する発明であって、第３，４図によれば具体的には、
「対物レンズを保持するレンズ保持枠２に可動部材４の一端を固着するとともに、該レンズ保持枠２は固定部材6で支持し、該可動部材の他端は固定部材８に設けられたスリット状ギャップ９内に挿入し、該ギャップ内にシリコンオイルを充填することにより液体ダンパを構成する対物レンズ駆動装置。」の発明が記載されているものと認められる。
　なお、第３図の平面図及び第４図の正面図によればシリコンオイルを充填するスリット状ギャップ９は板状の可動部材４を移動可能にする大きさの空間であり、該空間を形成する固定部材８は実質的に液体ダンパーのケースの機能を備えていることは明らかである。
  また、レンズ保持枠を固定部材６で支持するために、両者の間に板ばね３が設けられている。
　
Ｂ． 対比・判断
［本件発明１について］
　本件発明１に係る発明と引用刊行物１に記載の発明を対比すると、引用刊行物１に記載の発明における「保持体」「ブロック」「ワイヤー」「注入」「ゲル状のシリコンゴム」は、本件発明１における「レンズホルダー」「固定部材」「連結部材」「充填」「ダンピング材」に相当し、また、ダンピング材が注入される場所として引用刊行物１の「ワイヤーと前記ブロックである収容部」は、本件発明１の「前記連結部材と前記レンズホルダーの間又は前記連結部材と前記固定部材との間の少なくとも1箇所以上に・・充填保持する」に相当するから、
　両者は「対物レンズと、この対物レンズを固着したレンズホルダーと、前記レンズホルダーを支持する固定部材と、前記レンズホルダーと前記固定部材にそれぞれ固定された連結部材とを備え、
　前記連結部材と前記固定部材との間に、ゲル状ダンピング材を充填保持するように構成したことを特徴とする対物レンズ駆動装置。」で一致し、以下の点で相違する。
相違点１−１
 本件発明１が「周辺に電気接点を有する電気部品が配置された対物レンズ駆動装置」であるのに対し、引用刊行物１に記載の発明は単に「対物レンズ駆動装置」である点。
相違点１−２
　本件発明１が、ゲル状ダンピング材として「シリコーンを主成分とする液状原材料から低分子シロキサンを蒸発除去させて当該低分子シロキサンＤ3〜Ｄ10の各々の成分の濃度を１００ppm以下にしたシリコーンを主成分とする」ものを用いているのに対し、引用刊行物１に記載の発明では、単に「ゲル状シリコンゴム」を用いている点。
　
上記相違点について検討する。
相違点１ー１について
　引用刊行物１に記載されたような対物レンズ駆動装置が、光ディスクを駆動するためのモータや電気的制御回路を備えた記録再生装置内に配置されることは周知のことであり、かつ、この様な装置において、製造単価を安くすることも当然の技術課題である。
　そして、制御回路を備えた装置において、安価にするために、電気接点を有する電気部品を用いることも普通に行われていることであるので、引用刊行物１に記載の発明において、周辺に電気接点を有する電気部品を配置することは、当業者が適宜実施しうる程度のことにすぎないと認められる。
　
相違点１−２について
　シリコンゴムを用いた部材が密閉された装置内等にある場合、前記シリコンから揮発する低分子シロキサンが金属接点の接触障害を引き起こすことは、引用刊行物２，３、４に記載のように周知の事項と言えるから、上記相違点１で記したようにゲル状シリコンゴムを備えた対物レンズ駆動装置の周辺に電気接点を有する電気部品を配置する際、そのシリコンゴムから揮発する低分子シロキサンを低下させるよう考慮することは、当然考慮すべき技術課題であると認められる。
　そして、シリコンゴム成形体等の低分子シロキサンを低減する方法として、成形体から該低分子シロキサンを取り除く方法も引用刊行物２，３に記載のように周知であるが、成形する前の原料段階で低分子シロキサンを蒸発除去させることも下記の文献(以下、周知例という。）に記載のように周知技術にすぎないので、上記技術課題を該周知例に記載の周知技術により克服することは、必要に応じて適宜実施しうる程度のことにすぎないと認められる。
　
　なお、本件発明１は、ゲル状ダンピング材として、「低分子シロキサンＤ3〜Ｄ10の各々の成分濃度を１００ppm以下にしたシリコーンを主成分」としている点も構成要件としている。
　しかしながら、低分子シロキサンとしてＤ3〜Ｄ10の全ての成分量を問題にすることは下記周知例１−ａ及び引用刊行物２（第１表参照のこと）に記載のように周知のことである。
　一方、低分子シロキサンの重合度Ｄ3〜Ｄ10の成分の内の特定の重合度成分が特に有害であるとは引用刊行物２乃至４及び下記周知例等を検討しても見いだすことはできない。
　すなわち、本件発明１の「低分子シロキサンＤ3〜Ｄ10の各々の成分濃度を１００ppm以下にした」は、装置内に揮発充満する低分子シロキサンの特定の成分の量を規定するものではなく、全体の量を規定するための表現形態と認められる。
　そして、低分子シロキサンＤ3〜Ｄ10におけるこれらの成分は、重合度の低い（沸点の低い）ものの方が揮発しやすいことが明らか（引用刊行物２のｂ．及び周知例１−ａ参照のこと）であるから、まったくランダムに各重合度の成分が揮発し、かつ、材料内に残留するわけではなく、残留する量が最大の重合度の成分に対して他の重合度の成分の残留する量の大まかな傾向がうかがえるものと認められる。　すなわち、ダンピング材に残留する低分子シロキサンの最大値成分から他の成分の残留程度をある程度予測できれば、それから全体の量も予測できることは自明のことである。
　したがって、上記のような傾向にある低分子シロキサンＤ3〜Ｄ10の量の多少を表わす際、各重合度のシロキサンの総和で厳密に表わすのに対し、本件発明１のように、最大値となる成分の量を規定することにより表わすことに格別の困難性は認められず、かつ、この様に最大値の量を規定することによる効果も格別なものとは認められない。
　また、「１００ppm以下」に設定する点も、少ない方が好ましいことは明らかであって、どの程度まで多くても許容しうるかは必要に応じて適宜設定しうる程度のことにすぎないと認められる。
　　
　以上のように、本件発明１は、引用刊行物１に記載の発明を引用刊行物２乃至５及び上記周知例の記載により周辺に電気接点を有する電気部品が配置された対物レンズ駆動装置とするとともに、その振動減衰部材としてのゲル状のシリコンダンピング材をシリコンを主成分とする液状原材料から低分子シロキサンＤ3〜Ｄ10の各々の成分を蒸発除去させ、かつこれらの成分濃度を１００ppm以下にすることは、当業者が容易に実施し得たものと認められる。
　そして、請求人の主張するような成形型が不要である等の効果も上記引用刊行物１乃至５および周知技術の記載から、当然期待しうる程度のことにすぎないと認められる。
　
(周知例）
１：特開昭６３−４４６８１号公報
　ａ．「複写機の不都合が発生した際の低分子シロキサンの内容を調べてみるとＳ＝３〜１０の範囲のものが多くＳ＝１１以上のものは量が少なく殆ど問題がないことが判明した。
　これは低分子シロキサンの蒸発し易さ、すなわち蒸気圧との関係と考えられ、」(公報第３頁左上欄20行〜同頁右上欄６行）
　ｂ．「シリコーンゴムの原料である各種オルガノポリシロキサン中に含まれる低分子シロキサンの量を減少させることは比較的容易であり、」(公報第３頁左下欄20行〜同頁右下欄２行）
　ｃ．「［製造例］（中略）
　このジメチルポリシロキサン（Ｉ）を圧力３０ｍｍＨｇ、温度１８０°Ｃの条件下で3時間ストリップ処理を行ない、低分子シロキサンを除去して粘度１０，５００センチストークスのジメチルポリシロキサン(II)を得た。」(公報第９頁右上欄1行〜14行）
　
２．特開昭６３−１０１７９号公報
　ａ．「・・・低分子量ポリシロキサンの内その重合度が20以下のものの総量が０．７５％以下にする・・・」(特許請求の範囲）
　ｂ．「かかる特徴を有するシリコーンゴムを得る手段には、ジメチルポリシロキサンの製造工程において、減圧蒸留や、溶剤抽出などの手段により、低分子量のポリシロキサンを除去する方法」(公報第２頁左上欄16行〜19行）
　
［本件発明２について］
  本件発明２と引用刊行物５に記載の発明を対比すると、
引用刊行物５に記載の発明の「レンズ保持枠」「可動部材」「固定部材６」「固定部材８」は、本件発明２の「レンズホルダー」「ピン」「固定部材」「ダンパーケース」に相当し、また、引用刊行物５に記載の発明の固定部材６は板ばねを介して保持体を支持しているが固定部材６によって保持体を支持していることに変わりはないから、両者は「対物レンズ駆動装置であって、対物レンズと、この対物レンズを固着したレンズホルダーと、前記レンズホルダーを支持する固定部材と、前記レンズホルダーに設けたピンと、前記固定部材に形成したダンパーケースとを備え、
前記ダンパーケースにおいて、前記ピンと該ダンパーケースとの間に、シリコーン材料を充填保持するように構成したことを特徴とする対物レンズ駆動装置。」で一致するが、以下の点で相違する。
相違点２−１
　本件発明２が「周辺に電気接点を有する電気部品が配置された」の構成を備えているのに対し、刊行物5に記載の発明では、この様な構成を備えていない点。
相違点２−２
　本件発明２が、ピンとダンパーケース間に充填保持するシリコン材料として「主成分とする液状原材料から低分子シロキサンを蒸発除去させて当該低分子シロキサンＤ3〜Ｄ10の各々の成分の濃度を１００ppm以下にしたシリコーンを主成分とするゲル状ダンピング材」を用いているのに対し、引用刊行物5に記載の発明では、「シリコンオイル」を用いるとしか記載されていない点。
　
上記相違点について検討する。
相違点２−１について
　この点は、相違点１−１に記載のとおりである。
　
相違点２−２について
ａ．対物レンズ駆動装置におけるダンパー用シリコンとしてゲル状のものを用いることは、引用刊行物１に記載されている様に公知のことにすぎない。
ｂ．また、シリコン材料の他の特性については、前記相違点１-２に記載したとおりであり、格別のものではない。
　したがって、本件発明２は、引用刊行物５に記載の発明に、引用刊行物１乃至4に記載の発明及び前記周知技術を用いることにより当業者が容易に発明をすることができたものと認められ、かつ、その効果も当然期待しうる程度のことにすぎないと認められる。
［本件発明３について］
　本件発明３は、すでに引用刊行物５に記載の発明と対比・検討した請求項２に係る発明に 「前記レンズホルダーと前記固定部材にそれぞれ固定された連結部材を備え、前記レンズホルダーを、固定部材に対して連結部材により保持すると共に、ダンパーケースにおいてゲル状ダンピング材によりピンを介してダンピング保持する」の構成を付加したものである。しかし、「ダンパーケースにおいてゲル状ダンピング材によりピンを介してダンピング保持する」は、すでに請求項２に記載されている事項であるから、実質的に「レンズホルダーを、固定部材に対して連結部材により保持する」点を明記したものと認められる。
　この付加された構成について検討すると、引用刊行物５に記載の発明は、レンズ保持枠と固定部材６間に板ばねを設けている。そして、該板ばねが本件発明２の連結部材に相当することは明らかである。
　
　したがって、本件発明３は、本件発明２と同じく引用刊行物５に記載の発明に、引用刊行物１乃至4に記載の発明及び前記周知例に記載の周知技術を用いることにより当業者が容易に発明をすることができたものと認められ、かつ、その効果も当然期待しうる程度のことにすぎないと認められる。
　
Ｃ．むすび
　以上のとおりであるから、本件発明１乃至３は、上記引用刊行物１乃至５に記載された発明及び前記周知例に記載の周知技術に基づいて当業者が容易に発明をすることができたものであるから、本件発明１乃至3についての特許は特許法第２９条第２項の規定に違反してされたものである。
　したがって、本件発明１乃至３についての特許は、特許法第１１３条第２号に該当し取り消されるべきものである。
　よって、結論のとおり決定する。
【異議決定日】
平成１２年１２月１１日（２０００．１２．１１）
【訂正の要旨】
　（１）訂正の要旨
（イ）訂正事項１
　平成１０年７月２８付提出の手続補正書で補正した明細書の特許請求の範囲に記載の
　「（１）　周辺に電気接点を有する電気部品が配置された対物レンズ駆動装置であって、対物レンズと、この対物レンズを固着したレンズホルダーと、前記レンズホルダーを支持する固定部材と、前記レンズホルダーと前記固定部材にそれぞれ固定された連結部材とを備え、
　前記連結部材と前記レンズホルダーの間又は前記連結部材と前記固定部材との間の少なくとも１箇所以上に、低分子シロキサンを蒸発除去させて当該低分子シロキサンＤ３〜Ｄ１０の成分の濃度を１００ｐｐｍ以下にしたシリコーンを主成分とするゲル状ダンピング材を充填保持するように構成したことを特徴とする対物レンズ駆動装置。
　（２）　周辺に電気接点を有する電気部品が配置された対物レンズ駆動装置であって、対物レンズと、この対物レンズを固着したレンズホルダーと、前記レンズホルダーを支持する固定部材と、前記レンズホルダーに設けたピンと、前記固定部材に形成したダンパーケースとを備え、
　前記ダンパーケースにおいて、前記ピンと当該ダンパーケースとの間に、低分子シロキサンを蒸発除去させて当該低分子シロキサンＤ３〜Ｄ１０の成分の濃度を１００ｐｐｍ以下にしたシリコーンを主成分とするゲル状ダンピング材を充填保持するように構成したことを特徴とする対物レンズ駆動装置。
（３）　前記レンズホルダーと前記固定部材にそれぞれ固定された連結部材を備え、前記レンズホルダーを、固定部材に対して連結部材により保持すると共に、ダンパーケースにおいてゲル状ダンピング材によりピンを介してダンピング保持するように構成したことを特徴とする特許請求の範囲第２項記載の対物レンズ駆動装置。」を
「（１）周辺に電気接点を有する電気部品が配置された対物レンズ駆動装置であって、対物レンズと、この対物レンズを固着したレンズホルダーと、前記レンズホルダーを支持する固定部材と、前記レンズホルダーと前記固定部材にそれぞれ固定された連結部材とを備え、
　前記連結部材と前記レンズホルダーの間又は前記連結部材と前記固定部材との間の少なくとも１箇所以上に、シリコーンを主成分とする液状原材料から低分子シロキサンを蒸発除去させて当該低分子シロキサンＤ３〜Ｄ１０の各々の成分の濃度を１００ｐｐｍ以下にしたシリコーンを主成分とするゲル状ダンピング材を充填保持するように構成したことを特徴とする対物レンズ駆動装置。
（２）　周辺に電気接点を有する電気部品が配置された対物レンズ駆動装置であって、対物レンズと、この対物レンズを固着したレンズホルダーと、前記レンズホルダーを支持する固定部材と、前記レンズホルダーに設けたピンと、前記固定部材に形成したダンパーケースとを備え、
前記ダンパーケースにおいて、前記ピンと当該ダンパーケースとの間に、シリコーンを主成分とする液状原材料から低分子シロキサンを蒸発除去させて当該低分子シロキサンＤ３〜Ｄ１０の各々の成分の濃度を１００ｐｐｍ以下にしたシリコーンを主成分とするゲル状ダンピング材を充填保持するように構成したことを特徴とする対物レンズ駆動装置。
（３）　前記レンズホルダーと前記固定部材にそれぞれ固定された連結部材を備え、前記レンズホルダーを、固定部材に対して連結部材により保持すると共に、ダンパーケースにおいてゲル状ダンピング材によりピンを介してダンピング保持するように構成したことを特徴とする特許請求の範囲第２項記載の対物レンズ駆動装置。」と訂正する。
（ロ）訂正事項２
　明細書の第２頁第１４行目（特許公報第２頁第３欄第１９行目）に記載の「マグネッド」を「マグネット」と訂正する。
（ハ）訂正事項３
　明細書の第５頁第１１行目（特許公報第２頁第４欄第１９行目）に記載の「回転さｐる」を「回転させる」と訂正する。
（ニ）訂正事項４
　明細書の第６頁第１９行目（特許公報第２頁第４欄第４２行目）に記載の「しないが（５０時間」を「しないが、（５０時間」と訂正する。
（ホ）訂正事項５
　明細書の第７頁第５行目（特許公報第２頁第４欄第４７行目）に記載の「もので簡単な構成」を「もので、上記実験結果に基づいて、簡単な構成」と訂正する。
（へ）訂正事項６
　明細書の第７頁第１０行目〜第１５行目（特許公報第２頁第４欄第５０行目〜第３頁第５欄第１１行目）を「上記課題を解決するために本発明の対物レンズ駆動装置は、周辺に電気接点を有する電気部品が配置された対物レンズ駆動装置であって、対物レンズとこの対物レンズを固着したレンズホルダーと、前記レンズホルダーを支持する固定部材と、前記レンズホルダーと前記固定部材にそれぞれ固定された連結部材とを備え、前記連結部材と前記レンズホルダーの間又は前記連結部材と前記固定部材との間の少なくとも１箇所以上に、シリコーンを主成分とする液状原材料から低分子シロキサンを蒸発除去させて当該低分子シロキサンＤ３〜Ｄ１０の各々の成分の濃度を１００ｐｐｍ以下にしたシリコーンを主成分とするゲル状ダンピング材を充填保持するように構成したものである。」と訂正する。
（ト）訂正事項７
　明細書の第７頁第１７行目〜第１９行目（特許公報第３頁第５欄第１３行目〜同第１４行目）を「本発明は、上記した構成のように、シリコーンを主成分とする液状原材料から低分子シロキサンを蒸発除去させて当該低分子シロキサンＤ３〜Ｄ１０の各々の成分の濃度を１００ｐｐｍ以下にしたシリコーンを主成分とするゲル状ダンピング材を、レンズホルダーと固定側部材の間、連結部材」と訂正する。
（チ）訂正事項８
　明細書の第９頁第１行目（特許公報第３頁第５欄第３２行目〜同第３３行目）に記載の「なる。低分子シロキサン」を「なる。上述した実験結果に基づいて低分子シロキサン」と訂正する。
（リ）訂正事項９
　明細書の第９頁第１４行目〜第１５行目（特許公報第３頁第５欄第４４行目〜同第４５行目）に記載の「次に低分子カット」を「次に、充填保持される低分子カット」と訂正する。
（ヌ）訂正事項１０
　明細書の第９頁第１５行目（特許公報第３頁第５欄第４５行目）に記載の「ゲル材３５は、一液性」を「ゲル材３５は、上述した実験結果に基づき、ここでは、一液性」と訂正する。
（ル）訂正事項１１
　明細書の第１０頁第１８行目（特許公報第３頁第６欄第１４行目）に記載の「ばらつきから開放され」を「ばらつきから解放され」と訂正する。
（ヲ）訂正事項１２
　明細書の第１５頁第６行目（特許公報第４頁第７欄第４０行目）に記載の「できる。コスト面では、」を「できる。この「接点不良をなくす」ということに着目すれば、充境保持される低分子カットシリコーンゲル材３５は、以上の実施例と上述の実験結果より、シリコーンを主成分とする液状原材料から低分子シロキサンを蒸発除去させて当該低分子シロキサンＤ３〜Ｄ１０の各々の成分の濃度を１００ｐｐｍ以下にしたシリコーンを主成分とするものを用いることにより達成することができ、「接点不良による回転の不具合に基づくモータ回転せずを防止」できる。また、コスト面では、」と訂正する。
（ワ）訂正事項１３
　明細書の第１５頁第１７行目〜第１６頁第４行目（特許公報第４頁第８欄第７行目〜同第２０行目）に記載の「本発明は、〜ことができる。」を「本発明は、周辺に電気接点を有する電気部品が存在するように構成された対物レンズ駆動装置であって、対物レンズと、この対物レンズを固着したレンズホルダーと、前記レンズホルダーを支持するベースよりなる固定部材と、前記レンズホルダーと前記固定部材にそれぞれ固定された連結部材とを備え、前記連結部材と前記レンズホルダーの間又は前記連結部材と前記固定部材との間の少なくとも１箇所以上に、シリコーンを主成分とする液状原材料から低分子シロキサンを蒸発除去させて当該低分子シロキサンＤ３〜Ｄ１０の各々の成分の濃度を１００ｐｐｍ以下にしたシリコーンを主成分とするゲル状ダンピング材を充填保持するように構成したものであり、ゲル状ダンピング材を液状原材料からゲル状にしたものであるため、成型等が必要でなく簡単な構成で十分なダンピングを行うことができ、低分子シロキサンＤ３〜Ｄ１０の各々の成分の濃度を１００ｐｐｍ以下にしたため、シリコーン成分のガス化による電気接点の接点不良をなくすことができる。」と訂正する。
（５４）【発明の名称】
対物レンズ駆動装置
（５７）【特許請求の範囲】
（１）　周辺に電気接点を有する電気部品が配置された対物レンズ駆動装置であって、対物レンズと、この対物レンズを固着したレンズホルダーと、前記レンズホルダーを支持する固定部材と、前記レンズホルダーと前記固定部材にそれぞれ固定された連結部材とを備え、
　前記連結部材と前記レンズホルダーの間又は前記連結部材と前記固定部材との間の少なくとも１箇所以上に、
シリコーンを主成分とする液状原材料から
各々の
（２）　周辺に電気接点を有する電気部品が配置された対物レンズ駆動装置であって、対物レンズと、この対物レンズを固着したレンズホルダーと、前記レンズホルダーを支持する固定部材と、前記レンズホルダーに設けたピンと、前記固定部材に形成したダンパーケースとを備え、
　前記ダンパーケースにおいて、前記ピンと当該ダンパーケースとの間に、
シリコーンを主成分とする液状原材料から
各々の
（３）　前記レンズホルダーと前記固定部材にそれぞれ固定された連結部材を備え、前記レンズホルダーを、固定部材に対して連結部材により保持すると共に、ダンパーケースにおいてゲル状ダンピング材によりピンを介してダンピング保持するように構成したことを特徴とする特許請求の範囲第２項記載の対物レンズ駆動装置。
【発明の詳細な説明】
　　産業上の利用分野
　　本発明は、ディスクに光スポットを投影して記録再生を行う光ピックアップの一部を構成する対物レンズ駆動装置に関するものである。
　　従来の技術
　第７図は、従来の対物レンズ駆動装置の構成を示す分解斜視図である。対物レンズ１はレンズホルダー２に固着されている。レンズホルダー２にはフォーカスコイル１０が巻装され、さらにトラッキングコイル１１が固着されている。４本の平行に配置されたワイヤー３はベース４に固着したベース基板８と、レンズホルダー２に固着したホルダー基板９とに両端をそれぞれハンダ付けされている。ベース４には容器状構造物が形成されている。これにシリコーンを主成分とするゲル状ダンピング材７が充填保持されており、前記ワイヤー３が貫通している。これにより前記レンズホルダー２を片持ちに支持することになる。マグネッ
ト
　第８図（ａ），（ｂ）は従来の対物レンズ駆動装置の構成を示す斜視図およびダンピング部の拡大断面図である（第８図はダンピングの説明に必要な部品のみ取り上げている）。対物レンズ１はレンズホルダー２に固着されており、４本の平行に配置された金属製ワイヤー３がそれぞれベース４に固着したベース基板８とレンズホルダー２に固着したホルダー基板９とに両端をハンダ付けされている。これによりレンズホルダー２を片持ちに支持することになる。４本のワイヤー３はそれぞれベース４に形成された容器状構造物に充填保持されたシリコーンを主成分とするゲル状ダンピング材７を貫通接触している。レンズホルダー２が振動する時ワイヤー３が前記ゲル状ダンピング材７の中を動き、前記ゲル状ダンピング材７の変形及び粘性流動によりレンズホルダー２の一次共振のダンピングを行う。
　第９図は、ＣＤプレーヤに於ける対物レンズ駆動装置の配置を示す斜視図である。対物レンズ駆動装置１５は、光源となるレーザ及び受光素子を備えた光学ベース１６と合体されており、光学ディスク１８の面に沿ってディスク半径方向、内外周間を光学ベース駆動装置によって移動する。前記光学ディスク１８は、ターンテーブル１９の上に置かれ前記ターンテーブル１９に直結されたモータ１７によって回転される。
　発明が解決しようとする課題
　しかしながら上記従来の構成では、ゲル状ダンピング材７の主成分であるシリコーンのガス化による電気接点不良の発生という問題がある。シリコーンのガス化は、その分子であるシロキサンの分子量の低い成分が揮発するものである。通常の液体状シリコーンにおいてＤ３〜Ｄ１０の低分子シロキサンの濃度は１００〜６００ｐｐｍ程度であり、これを熱硬化もしくはＵＶ硬化させたゲル状シリコーンもほぼ同程度の低分子シロキサン濃度である。一般に光学ディスク１８を回転さ
せ
　　　　　Ｓｉ＋Ｏ２→ＳｉＯ２
なる反応によってガラスが形成され、ブラシの先端に形成されたガラスが整流子の接触面を削りこれが切りくずとなって整流子のギャップをブリッジしてしまいモータが回転しないという不良が発生するという問題がある。
　本メカニズム解析の実験結果より、第１０図はモータ電流のグラフであるが、整流子とブラシとの接点不良を示す電流オフ点２２がある。ゲル状ダンピング材７の低分子シロキサンＤ３〜Ｄ１０の濃度について２００ｐｐｍを越える成分がある場合、このように一時的な接点不良が発生しモータの回転制御が不安定になる。さらにこれが進行しモータ回転しないという不良が１００時間の動作を越えると頻繁に発生することが確認されている。また低分子シロキサンＤ３〜Ｄ１０の濃度が１００ｐｐｍ前後の成分である場合、接点不良は発生しないが
、
　本発明は上記従来例の問題点を解決するためになされたもので
、上記実験結果に基づいて、
　課題を解決するための手段
　上記課題を解決するために本発明の対物レンズ駆動装置は、周辺に電気接点を有する電気部品が配置された対物レンズ駆動装置であって、対物レンズと、この対物レンズを固着したレンズホルダーと、前記レンズホルダーを支持する固定部材と、前記レンズホルダーと前記固定部材にそれぞれ固定された連結部材とを備え、前記連結部材と前記レンズホルダーの間又は前記連結部材と前記固定部材との間の少なくとも１箇所以上に、
シリコーンを主成分とする液状原材料から
各々の
　作用
　本発明は、上記した構成のように、
シリコーンを主成分とする液状原材料から低分子シロキサンを蒸発除去させて当該低分子シロキサンＤ３〜Ｄ１０の各々の成分の濃度を１００ｐｐｍ以下にしたシリコーンを主成分とする
、
　実施例
　第１図，第２図，第３図，第４図，第５図及び第６図のそれぞれ（ａ），（ｂ）は、本発明の各々一実施例における対物レンズ駆動装置の構成を示す斜視図及びゲル状ダンピング材の充填保持部の拡大断面図である。
　第１図を用いて、本発明の第１の実施例について説明する（第１図〜第５はダンピングの説明に必要な部品のみを取り上げている）。対物レンズ３１はレンズホルダー３２に固着されており、４本の平行に配置された金属製ワイヤー３３がそれぞれベース３４に固着したベース基板３７と、レンズホルダー３２に固着したホルダー基板３８とに両端を半田付けされている。これにより前記レンズホルダー３２を片持ちに支持していることになる。
上述した実験結果に基づいて
　以上のように構成された本実施例の対物レンズ駆動装置について以下に
、
　
　次に、充填保持される
上述した実験結果に基づき、ここでは、
　以上のように本実施例によれば、シリコーンのガス化による電気接点不良をなくすことができるので、ブラシ付きＤＣモータまたスイッチ等の電気接点を有する電気部品を特別なシールドなしにセット内に配置することができる。従来のダンピング材と比較すると、ゴムチューブあるいは樹脂ヒンジのように成型品でないので低コストであり、ダンピング材自体の共振がなく、成型ばらつきによるダンピング量のばらつきから
解放
　第２図を用いて本発明の第２の実施例について説明する。本実施例は第１の実施例と同様の構成において、低分子カットシリコーンゲル材３５を充填保持するベース３４に形成された容器状構造物の形状を改良したものである。容器状構造物の中を２本のワイヤー３３が通る形状とし、１箇所の低分子カットシリコーンゲル材３５の充填保持部に対して２本の前記ワイヤー３３が貫通している。これにより低分子カットシリコーンゲル材３５の注入箇所が減り、また容器状構造物の開口部が拡がり注入が容易となるなど作業性を向上させることができる。
　第３図を用いて本発明の第３の実施例について第１の実施例と異なる点について説明する。レンズホルダー３２の一部に形成した容器状構造物に低分子カットシリコーンゲル材３５が充填保持されており、これにワイヤー３３が貫通している。またベース３４の一部に形成した容器状構造物に低分子カットシリコーンゲル材３５が、充填保持されており、これにも前記ワイヤー３３が貫通している。レンズホルダー３２が振動する時、前記低分子カットシリコーンゲル材３５の中を前記ワイヤー３３が動き、低分子カットシリコーンゲル材３５の変形及び粘性流動によりレンズホルダー３２の一次共振のダンピングを行う。低分子カットシリコーンゲル材３５の充填保持は、レンズホルダー側もしくはベース側のどちらか一方でもダンピング効果を得ることができる。第１の実施例にない効果としてワイヤー３３の共振も抑えることができる。
　第４図を用いて本発明の第４の実施例について第１の実施例と異なる点について説明する。ベース３４とともに固定側部を形成するダンパーケース３６は２個の穴を有し、この穴に低分子カットシリコーンゲル材３５が充填保持され、この低分子カットシリコーンゲル材３５に前記レンズホルダー３２の一部に形成したピン３２ａが挿入されている。
　以上のように構成された本実施例の対物レンズ駆動装置について、以下その動作を説明する。レンズホルダー３２が振動する時、ピン３２ａが低分子カットシリコーンゲル材３５の中を動き、前記低分子カットシリコーンゲル材３５の変形及び粘性流動によりレンズホルダー３２の一次共振のダンピングを行う。
　第５図を用いて本発明の第５の実施例について第１の実施例と異なる点を説明する。ベース３４とともに固定側を形成する透孔を有するダンパーケース３６がありこの透孔に低分子カットシリコーンゲル材３５が充填されている。前記透孔にそれぞれワイヤー３３が貫通している。
　以上のように構成された本実施例の対物レンズ駆動装置は第１の実施例と同様の動作でレンズホルダー３２の一次共振のダンピングを行うと同時にワイヤー３３の振動のダンピングも行う。
　第６図を用いて本発明の第６の実施例について説明する。対物レンズ３１はレンズホルダー３２に固着されており、レンズホルダー３２はベース４０のガイド軸４１をガイドとしてレンズホルダー保持装置（図示せず）により中立位置に保持されている。ベース４０に設けた穴を有するダンパーケース３６の穴に低分子カットシリコーンゲル材３５が充填保持され、この低分子カットシリコーンゲル材３５にレンズホルダー３２の一部に形成したピン３２ａが挿入されている。
　以上のように構成された本実施例の対物レンズ駆動装置はレンズホルダー３２が振動する時、ピン３２ａが低分子カットシリコーンゲル材３５の中を動き、前記低分子カットシリコーンゲル材３５の変形及び粘性流動によりレンズホルダー３２の一次共振のダンピングを行う。本実施例の効果として従来の成型品のダンピング材を廃止でき第１の実施例と同様の効果が得られる。
　以上のように本第１から第６の実施例によれば、可動部材と固定部材との間、連結部材と可動部材との間、連結部材と固定部材との間の少なくとも一箇所以上に低分子カットシリコーンゲル材３５を充填保持し、前記低分子カットシリコーンゲル材３５の変形及び粘性流動を利用して可動部の一次共振のダンピングを行うことができ、シリコーン成分のガス化による電気接点の接点不良をなくすことができる。
この「接点不良をなくす」ということに着目すれば、充填保持される低分子カットシリコーンゲル材３５は、以上の実施例と上述の実験結果より、シリコーンを主成分とする液状原材料から低分子シロキサンを蒸発除去させて当該低分子シロキサンＤ３〜Ｄ１０の各々の成分の濃度を１００ｐｐｍ以下にしたシリコーンを主成分とするものを用いることにより達成することができ、「接点不良による回転の不具合に基づくモータ回転せずを防止」できる。また、
　発明の効果
　本発明は、周辺に電気接点を有する電気部品が存在するように構成された対物レンズ駆動装置であって、対物レンズと、この対物レンズを固着したレンズホルダーと、前記レンズホルダーを支持するベースよりなる固定部材と、前記レンズホルダーと前記固定部材にそれぞれ固定された連結部材とを備え、前記連結部材と前記レンズホルダーの間又は前記連結部材と前記固定部材との間の少なくとも１箇所以上に、
シリコーンを主成分とする液状原材料から
各々の
ゲル状ダンピング材を液状原材料からゲル状にしたものであるため、成型等が必要でなく
低分子シロキサンＤ３〜Ｄ１０の各々の成分の濃度を１００ｐｐｍ以下にしたため、
【図面の簡単な説明】
　第１図，第２図，第３図，第４図，第５図，第６図は本発明の各々一実施例における対物レンズ駆動装置の構成を示す斜視図及びダンピング部の拡大断面図、第７図は従来の対物レンズ駆動装置の分解構成を示す斜視図、第８図は従来の対物レンズ駆動装置の構成を示す斜視図及びダンピング部の拡大断面図、第９図は一般的なＣＤプレーヤの対物レンズ駆動装置の斜視図、第１０図はモータ電流を示すグラフである。
　１４……半田、２０……ガイド軸、２１……軸支持台、３１……対物レンズ、３２……レンズホルダー、３２ａ……ピン、３３……ワイヤー、３４……ベース、３５……低分子カットシリコーンゲル材、３６……ダンパーケース、３７……ベース基板、３８……ホルダー基板、３９……半田、４０……ベース、４１……ガイド軸。